(57)【要約】【課題】ひび割れからスラブ中に浸入した水が凹部に入らない軽量埋込材を提供することである。【解決手段】軽量埋込材１は、埋込材本体２の下面に蓋体３が設置され、該蓋体３の下面には係止具１０が突出され、該蓋体３は上面の突起６が埋込材本体の凹部５に嵌合されて埋込材本体２に取外自在に設置されている。【選択図】  図１
2008223231.tif 000002
【特許請求の範囲】
【請求項１】
埋込材本体の下面に蓋体が設置され、該蓋体の下面には係止具が突出され、該蓋体は上面の突起が埋込材本体の凹部に嵌合されて埋込材本体に取外自在に設置されたことを特徴とする軽量埋込材。
【請求項２】
係止具は釘であり、該釘が蓋体の側面に形成された差込スリットに差し込まれ、該差込スリットの形成された蓋体上面の挿入凹部には釘の頭が挿入され、該釘の頭が埋込材本体の下面で押さえ付けられたことを特徴とする請求項１に記載の軽量埋込材。
【請求項３】
係止具は釘であり、該釘の頭が、蓋体上面に形成された挿入凹部に挿入されて埋込材本体の下面で押さえ付けられたことを特徴とする請求項１に記載の軽量埋込材。
【発明の詳細な説明】
【技術分野】
【０００１】
本願発明は軽量埋込材に関するものである。
【背景技術】
【０００２】
鉄筋コンクリート構造のスラブの軽量化を図るために、図１４に示すように、スラブ２２には軽量埋込材２３が埋設されている。この軽量埋込材２３は長方形の合成樹脂発泡体であり、下面の凹部２４を下側に向けて傘釘２５などで固定されている。またその他の軽量埋込材としては、例えば特開２００４−２０４５２２号公報の発明が知られている。
【特許文献１】特開２００４−２０４５２２号公報
【発明の開示】
【発明が解決しようとする課題】
【０００３】
しかし、上記の軽量埋込材の凹部には、ひび割れからスラブ中に浸入した水が入ってしまうという問題があった。
【０００４】
本願発明は上記のような問題に鑑みてなされたものであり、その目的は、ひび割れからスラブ中に浸入した水が凹部に入らない軽量埋込材を提供することである。
【課題を解決するための手段】
【０００５】
課題を解決するための手段である軽量埋込材は、埋込材本体の下面に蓋体が設置され、該蓋体の下面には係止具が突出され、該蓋体は上面の突起が埋込材本体の凹部に嵌合されて埋込材本体に取外自在に設置されたことを特徴とする。また係止具は釘であり、該釘が蓋体の側面に形成された差込スリットに差し込まれ、該差込スリットの形成された蓋体上面の挿入凹部には釘の頭が挿入され、該釘の頭が埋込材本体の下面で押さえられたことを含む。係止具は釘であり、該釘の頭が、蓋体上面に形成された挿入凹部に挿入されて埋込材本体の下面で押さえ付けられたことを含むものである。
【発明の効果】
【０００６】
埋込材本体の凹部が蓋体で塞がれた軽量埋込材がスラブ内に埋設されているため、ひび割れからスラブ中に浸入した水が凹部に入ることがない。
【発明を実施するための最良の形態】
【０００７】
以下、本願発明の軽量埋込材の実施の形態を図面に基づいて説明する。以下における各実施の形態において同じ構成は同じ符号を付して説明し、異なった構成にのみ異なった符号を付して説明する。
【０００８】
この軽量埋込材はスラブの軽量化を図るために、スラブに埋設されるものであり、このスラブは梁間に敷設されたプレキャストコンクリート床板（以下ＰＣ床板という）の上に軽量埋込材を適宜間隔ごとに設置し、この上からトップコンクリートを打設して形成するものである（図４参照）。
【０００９】
図１〜図４は第１の実施の形態の軽量埋込材１である。この軽量埋込材１は、ポリスチレン系樹脂発泡材、ポリオレフィン系樹脂発泡材、スチレン改質ポリオレフィン系樹脂発泡材で発泡形成された埋込材本体２と、これと同じ発泡材で形成された蓋体３とから構成されている。
【００１０】
この埋込材本体２は下面が開口した平面矩形の函体であり、この函体の中が縦横の仕切壁４で区切られて複数の凹部５が形成されている。そして、この凹部５を下側にしてＰＣ床板に設置すると、この凹部５に水が浸入するため、これを蓋体３で塞いでいる。すなわち蓋体３の上面に突起６を形成し、これを埋込材本体の凹部５に嵌合することによって蓋体３を埋込材本体２の下面に設置するものである。
【００１１】
このとき蓋体３の上面に接着剤を塗っておくと蓋体３が埋込材本体２に接着されるとともに、蓋体３の縁に沿って形成した線状突起７を埋込材本体の凹溝８に嵌合することにより、完璧な止水をすることができる。このように埋込材本体２の下面に蓋体３を設置すると、軽量埋込材１をＰＣ床板の上面に設置したとき、埋込材本体２と蓋体３との接合面９が蓋体３の厚み分だけ上側に位置するようになる。
【００１２】
また蓋体３の下面には鉄線を山形に折り曲げた係止具１０が突設され、これがＰＣ床板１１のコンクリートに埋設されて埋込材本体２を固定している。この係止具１０は、上記のように山形に折り曲げたものではなく、単なる鉄線であってもよい。
【００１３】
また図４は、上記の軽量埋込材１をスラブ内に設置した中空スラブ１３であり、係止具１０がＰＣ床板１１のコンクリートに埋設されるとともに、埋込材本体２と蓋体３との接合面９が蓋体３の厚み分だけ、ＰＣ床板１１の上面から上方に位置している。このように蓋体３に係止具１０を突設したため、ＰＣ床板１１の製造時における未硬化のコンクリート１４の上面に軽量埋込材１を設置すると同時に、係止具１０がコンクリート１４に埋設される。
【００１４】
また図５および図６は函体の中を仕切壁４で細かく仕切って多くの凹部５を形成した軽量埋込材１２であり、上記の軽量埋込材材１とは凹部５の数が異なるだけで、その他は同じ構成である。
【００１５】
また図７〜図９は第２の実施の形態の軽量埋込材１５である。この軽量埋込材１５は蓋体３に傘釘１６を設置したものであり、それ以外は第１の実施の形態の軽量埋込材１と同じ構成である。この傘釘１６を設置するために、蓋体３の側面に差込スリット１７が形成され、該差込スリット１７が形成された蓋体３の上面には傘１８を挿入するための挿入凹部１９が形成され、この挿入凹部１９の上面が埋込材本体２の下面で塞がれている。
【００１６】
したがって、図１０および図１１に示すように、差込スリット１７に傘釘１６を差し込むと、傘１８が挿入凹部１９に挿入されて埋込材本体２の下面で押さえ付けられるため、傘釘１６がしっかりと蓋体３に固定される。このように埋込材本体の凹部５に蓋体の突起６を嵌合するとともに、該蓋体３の差込スリット１７に傘釘１６を差し込むと軽量埋込材１５が完成する。
【００１７】
そして、これをＰＣ床板１１の製造時における未硬化のコンクリート１４の上面に設置すると、図１２に示すように、傘１８が埋込材本体２の下面で押さえ付けられるため、傘釘１６がコンクリート１４内にスムーズに差し込まれ、軽量埋込材１５が設置と同時に固定される。
【００１８】
また図１３は第３の実施の形態の軽量埋込材２０である。この軽量埋込材２０は、上記のように差込スリット１７から傘釘１６を差し込むのではなく、挿入凹部１９の上から傘釘１６を直接設置するものであり、これ以外は第２の実施の形態の軽量埋込材１５と同じ構成である。これは図示するように、傘釘１６を挿入凹部の孔２１に差し込んだ後、この傘釘１６が差し込まれた蓋体３を埋込材本体２に設置するものである。すなわち予め傘釘１６が設置された蓋体の突起６を埋込材本体の凹部５に嵌合することによって、蓋体３を埋込材本体２の下面に設置するとともに、傘１８を埋込材本体２の下面で押さえ付けて、傘釘１６を蓋体３にしっかりと固定するものである。このように埋込材本体の凹部５に蓋体の突起６を嵌合すると同時に軽量埋込材２０が完成する。
【図面の簡単な説明】
【００１９】
【図１】第１の実施の形態の軽量埋込材であり、（１）は斜視図、（２）は蓋体を取り外した斜視図である。
【図２】第１の実施の形態の軽量埋込材の蓋体であり、（１）は底面図、（２）は斜視図である。
【図３】（１）は第１の実施の形態の軽量埋込材の縦方向の断面図、（２）は同横方向の断面図である。
【図４】第１の実施の形態の軽量埋込材を設置した中空スラブの断面図である。
【図５】（１）は他の軽量埋込材の底面図、（２）は同埋込材本体の底面図である。
【図６】（１）は図５の縦方向の断面図、（２）は同横方向の断面図である。
【図７】第２の実施の形態の軽量埋込材であり、（１）は斜視図、（２）は蓋体を取り外した斜視図である。
【図８】第２の実施の形態の軽量埋込材の蓋体であり、（１）は底面図、（２）は斜視図である。
【図９】（１）は第２の実施の形態の軽量埋込材の縦方向の断面図、（２）は同横方向の断面図である。
【図１０】（１）および（２）は蓋体の差込スリットの斜視図である。
【図１１】（１）は差込スリットに傘釘を差し込んだ斜視図、（２）は同断面図である。
【図１２】（１）および（２）は傘釘を未硬化のコンクリートに差し込む断面図である。
【図１３】（１）および（２）は第２の実施の形態の軽量埋込材の蓋体の斜視図、（３）は同断面図である。
【図１４】従来の軽量埋込材を設置した中空スラブの断面図である。
【符号の説明】
【００２０】
１、１２、１５、２０、２３  軽量埋込材
２  埋込材本体
３  蓋体
４  仕切壁
５、２４  凹部
６  突起
７  線状突起
８  凹溝
９  接合面
１０  係止具
１１  ＰＣ床板
１３  中空スラブ
１４  未硬化のコンクリート
１６、２５  傘釘
１７  差込スリット
１８  傘
１９  挿入凹部
２１  孔
２２  スラブ
【図１】
2008223231.tif 000003
【図２】
2008223231.tif 000004
【図３】
2008223231.tif 000005
【図４】
2008223231.tif 000006
【図５】
2008223231.tif 000007
【図６】
2008223231.tif 000008
【図７】
2008223231.tif 000009
【図８】
2008223231.tif 000010
【図９】
2008223231.tif 000011
【図１０】
2008223231.tif 000012
【図１１】
2008223231.tif 000013
【図１２】
2008223231.tif 000014
【図１３】
2008223231.tif 000015
【図１４】
2008223231.tif 000016